(57)【要約】  属性情報提供装置５１０が、ユーザに関連する情報である属性情報を管理して他の装置に提供する。アクセス情報管理装置５３０が、属性情報取得装置５２０が属性情報提供装置５１０にアクセスするための第１のアクセス情報を管理する。アクセス情報代理管理装置５４０が、属性情報取得装置５２０がアクセス情報管理装置５３０にアクセスするための第２のアクセス情報を管理する。属性情報取得装置５２０が、アクセス情報代理管理装置５４０から取得した第２のアクセス情報およびアクセス情報管理装置５３０から取得した第１のアクセス情報にもとづいて、属性情報提供装置５１０から属性情報を取得する。
2011070726.tif 000002
【特許請求の範囲】
【請求項１】
ユーザに関連する情報である属性情報を管理して他の装置に提供する属性情報提供装置と、
前記属性情報を前記属性情報提供装置から取得する他の装置である属性情報取得装置と、
前記属性情報取得装置が前記属性情報提供装置にアクセスするための第１のアクセス情報を管理するアクセス情報管理装置と、
前記属性情報取得装置が前記アクセス情報管理装置にアクセスするための第２のアクセス情報を管理するアクセス情報代理管理装置とを備え、
前記属性情報提供装置は、属性情報を登録するときに、自属性情報提供装置にアクセスするための第１のアクセス情報を発行し、前記アクセス情報管理装置に送信する第１のアクセス情報発行手段を含み、
前記アクセス情報管理装置は、
前記属性情報提供装置から前記第１のアクセス情報を受信すると、自アクセス情報管理装置にアクセスするための第２のアクセス情報を発行し、前記アクセス情報代理管理装置に送信する第２のアクセス情報発行手段と、前記属性情報取得装置の要求に応じて、前記第１のアクセス情報を送信する第１のアクセス情報送信手段とを含み、
前記アクセス情報代理管理装置は、前記アクセス情報管理装置が送信した前記第２のアクセス情報を管理し、前記属性情報取得装置からアクセス情報の送信を要求された場合に、前記第２のアクセス情報を送信する第２のアクセス情報送信手段を含み、
前記属性情報取得装置は、
前記アクセス情報代理管理装置にアクセス情報の送信を要求し、前記要求に応じて送信された前記第２のアクセス情報を受信する第２のアクセス情報取得手段と、
前記第２のアクセス情報取得手段が取得した前記第２のアクセス情報にもとづいて、前記アクセス情報管理装置にアクセス情報の送信を要求し、前記要求に応じて送信された前記第１のアクセス情報を受信する第１のアクセス情報取得手段と、
前記第１のアクセス情報取得手段が取得した前記第１のアクセス情報にもとづいて、前記属性情報提供装置に前記属性情報の送信を要求し、前記要求に応じて送信された前記属性情報を取得する属性情報取得手段とを含む
ことを特徴とする属性情報連携提供システム。
【請求項２】
アクセス情報管理装置の第２のアクセス情報発行手段は、属性情報提供装置が発行した第１のアクセス情報に記載されているユーザ識別子とは異なる識別子を記載した第２のアクセス情報を発行する
請求項１記載の属性情報連携提供システム。
【請求項３】
アクセス情報管理装置は、他のアクセス情報管理装置から受信した第２のアクセス情報を保管するアクセス情報保管手段を含み、
第１のアクセス情報送信手段は、属性情報取得装置からアクセス情報の送信を要求された場合に、属性情報提供装置から取得した第１のアクセス情報、または前記他のアクセス情報管理装置から受信して前記アクセス情報保管手段が保管している前記第２のアクセス情報を前記属性情報取得装置に送信する
請求項１または請求項２記載の属性情報連携提供システム。
【請求項４】
ユーザに関連する情報である属性情報を管理する属性情報提供装置が発行した当該属性情報提供装置にアクセスするための第１のアクセス情報を管理するアクセス情報管理手段と、
自アクセス情報管理装置にアクセスするための情報が記載された第２のアクセス情報を生成し、前記属性情報を使用する属性情報取得装置に前記第２のアクセス情報を送信するアクセス情報代理管理装置に、前記第２のアクセス情報を送信する第２のアクセス情報発行手段と、
前記アクセス情報代理管理装置から前記第２のアクセス情報を取得した前記属性情報取得装置の要求に応じた前記第１のアクセス情報を送信する第１のアクセス情報送信手段とを備えた
ことを特徴とするアクセス情報管理装置。
【請求項５】
属性情報取得装置がアクセス情報の送信を要求する可能性があるアクセス情報代理管理装置の一覧が記載された属性情報取得装置情報を保管する装置情報保管手段と、
ユーザの端末装置から前記ユーザが利用する属性情報取得装置に関する情報を取得し、取得した情報と前記装置情報保管手段に保管されている属性情報取得装置情報とにもとづいて、第２のアクセス情報の送信先のアクセス情報代理管理装置を決定する送信装置決定手段とを含む
請求項４記載のアクセス情報管理装置。
【請求項６】
第２のアクセス情報発行手段は、属性情報提供装置が第１のアクセス情報に記載したユーザ識別子とは異なる識別子を記載した第２のアクセス情報を生成し、
当該アクセス情報管理装置は、一のユーザを識別するために前記第１のアクセス情報に記載されたユーザ識別子と前記第２のアクセス情報発行手段が生成した前記第２のアクセス情報に記載されたユーザ識別子とを関連付けて管理する利用者情報管理手段を含む
請求項４または請求項５記載のアクセス情報管理装置。
【請求項７】
他のアクセス情報管理装置が発行した第２のアクセス情報を取得して管理するアクセス情報代理管理手段と、
属性情報取得装置からアクセス情報の送信を要求された場合に、アクセス情報管理手段または前記アクセス情報代理管理手段から前記要求に応じた第１のアクセス情報または第２のアクセス情報を取得して前記属性情報取得装置に提供するアクセス情報提供手段とを含む
請求項４から請求項６のうちいずれか１項記載のアクセス情報管理装置。
【請求項８】
ユーザに関連する情報である属性情報を使用する属性情報取得装置に前記属性情報を管理する属性情報提供装置にアクセスするための情報を送信するアクセス情報管理装置から受信した当該アクセス情報管理装置にアクセスするためのアクセス情報を管理するアクセス情報代理管理手段と、
前記属性情報取得装置からアクセス情報の送信を要求された場合に、前記要求に応じたアクセス情報を前記アクセス情報代理管理手段から取得するアクセス情報検索手段と、
前記属性情報取得装置に前記アクセス情報検索手段が取得したアクセス情報を送信する送受信手段とを備えた
ことを特徴とするアクセス情報代理管理装置。
【請求項９】
ユーザに関連する情報である属性情報を管理する属性情報提供装置が発行した自属性情報提供装置にアクセスするための第１のアクセス情報を生成し、前記属性情報を使用する属性情報取得装置に前記第１のアクセス情報を送信するアクセス情報管理装置に、前記第１のアクセス情報を送信し、
前記アクセス情報管理装置が発行した自アクセス情報管理装置にアクセスするため第２のアクセス情報を生成し、前記属性情報取得装置に前記第２のアクセス情報を送信するアクセス情報代理管理装置に、前記第２のアクセス情報を送信し、
前記属性情報取得装置の要求に応じた前記第２のアクセス情報を当該属性情報取得装置に送信し、
前記第２のアクセス情報を取得した前記属性情報取得装置の要求に応じた第１のアクセス情報を当該属性情報取得装置に送信し、
前記第１のアクセス情報を取得した前記属性情報取得装置の要求に応じた属性情報を当該属性情報取得装置に送信する
ことを特徴とするアクセス情報管理方法。
【請求項１０】
属性情報取得装置がアクセス情報の送信を要求する可能性があるアクセス情報代理管理装置の一覧が記載された属性情報取得装置情報を管理し、
ユーザの端末装置から前記ユーザが利用する属性情報取得装置に関する情報を取得し、取得した情報と前記属性情報取得装置情報とにもとづいて、第２のアクセス情報の送信先のアクセス情報代理管理装置を決定する
請求項９記載のアクセス情報管理方法。
【請求項１１】
属性情報提供装置が第１のアクセス情報に記載したユーザ識別子とは異なる識別子を記載した第２のアクセス情報を生成し、
一のユーザを識別するために前記第１のアクセス情報に記載されたユーザ識別子と当該一のユーザを識別するために前記第２のアクセス情報に記載されたユーザ識別子とを関連付けて管理する
請求項９または請求項１０記載のアクセス情報管理方法。
【請求項１２】
他のアクセス情報管理装置が発行した第２のアクセス情報を取得して管理し、
属性情報取得装置からアクセス情報の送信を要求された場合に、前記属性情報取得装置に前記要求に応じた第１のアクセス情報または第２のアクセス情報を送信する
請求項９から請求項１１のうちいずれか１項記載のアクセス情報管理方法。
【請求項１３】
ユーザに関連する情報である属性情報を使用する属性情報取得装置に、前記属性情報を管理する属性情報提供装置にアクセスするための情報を送信するアクセス情報管理装置から取得したアクセス情報を保管し、
前記属性情報取得装置からアクセス情報の送信を要求された場合に、保管しているアクセス情報のうち、前記要求に応じたアクセス情報を前記属性情報取得装置に送信する
ことを特徴とするアクセス情報代理管理方法。
【請求項１４】
コンピュータに、
ユーザに関連する情報である属性情報を管理する属性情報提供装置が発行した当該属性情報提供装置にアクセスするための第１のアクセス情報を管理するアクセス情報管理処理と、
属性情報提供装置にアクセスするための情報を送信する自アクセス情報管理装置にアクセスするための情報が記載された第２のアクセス情報を生成し、前記属性情報を使用する前記属性情報取得装置に前記第２のアクセス情報を送信するアクセス情報代理管理装置に、前記第２のアクセス情報を送信する第２のアクセス情報発行処理と、
前記第２のアクセス情報を取得した属性情報取得装置からアクセス情報の送信を要求された場合に、前記要求に応じた第１のアクセス情報を前記属性情報取得装置に送信する第１のアクセス情報送信処理とを実行させる
ためのアクセス情報管理プログラム。
【請求項１５】
コンピュータに、
属性情報取得装置がアクセス情報の送信を要求する可能性があるアクセス情報代理管理装置の一覧が記載された属性情報取得装置情報を保管する処理と、
ユーザの端末装置から前記ユーザが利用する属性情報取得装置に関する情報を取得し、取得した情報と前記属性情報取得装置情報とにもとづいて、第２のアクセス情報を送信するアクセス情報代理管理装置を決定する送信装置決定処理とを実行させる
ための請求項１４記載のアクセス情報管理プログラム。
【請求項１６】
コンピュータに、
属性情報提供装置が第１のアクセス情報に記載したユーザ識別子とは異なる識別子を記載した第２のアクセス情報を生成するアクセス情報生成処理と、
一のユーザを識別するために前記第１のアクセス情報に記載されたユーザ識別子と当該一のユーザを識別するために前記第２のアクセス情報に記載されたユーザ識別子とを関連付けて管理する利用者情報管理処理とを実行させる
ための請求項１４または請求項１５記載のアクセス情報管理プログラム。
【請求項１７】
コンピュータに、
他のアクセス情報管理装置が発行した第２のアクセス情報を取得して管理するアクセス情報代理管理処理と、
属性情報取得装置からアクセス情報の送信を要求された場合に、前記要求に応じた第１のアクセス情報または第２のアクセス情報を前記属性情報取得装置に提供するアクセス情報提供処理とを実行させる
ための請求項１４から請求項１６のうちいずれか１項記載のアクセス情報管理プログラム。
【請求項１８】
コンピュータに、
ユーザに関連する情報である属性情報を使用する属性情報取得装置に前記属性情報を管理する属性情報提供装置にアクセスするための情報を送信するアクセス情報管理装置から取得したアクセス情報を保管するアクセス情報代理管理処理と、
前記属性情報取得装置からアクセス情報の送信を要求された場合に、保管しているアクセス情報のうち、前記要求に応じたアクセス情報を取得するアクセス情報検索処理と、
前記アクセス情報検索処理で取得したアクセス情報を前記属性情報取得装置に送信する処理とを実行させる
ためのアクセス情報代理管理プログラム。
【発明の詳細な説明】
【技術分野】
【０００１】
本発明は、ユーザに関連する情報である属性情報を複数の装置が連携して他の装置に提供する属性情報連携提供システム、アクセス情報管理装置、アクセス情報代理管理装置、方法、およびプログラムに関する。
【背景技術】
【０００２】
ユーザに関連する情報である属性情報を管理する属性情報管理システムの一例が、非特許文献１に記載されている。図２０は、非特許文献１に記載されている属性情報管理システムの概略を示す説明図である。図２０に示すように、非特許文献１に記載されている属性情報管理システムは、ＷＳＰ（Ｗｅｂ  Ｓｅｒｖｉｃｅ  Ｐｒｏｖｉｄｅｒ：ウェブサービスプロバイダ）１００とＷＳＣ（Ｗｅｂ  Ｓｅｒｖｉｃｅ  Ｃｏｎｓｕｍｅｒ：ウェブサービスコンシューマ）１０１とＤＳ（Ｄｉｓｃｏｖｅｒｙ  Ｓｅｒｖｉｃｅ：ディスカバリサービス）１０２とユーザエージェント（Ｕｓｅｒ  Ａｇｅｎｔ：ユーザ端末のソフトウエア）１０３とが通信ネットワークを介して接続されて、構成されている。【０００３】
このような構成を有する非特許文献１に記載された属性情報管理システムの典型的な動作として、ＤＳ１０２を利用して属性情報を管理する手順を説明する。【０００４】
図２０において、ユーザエージェント１０３を通じて、ユーザは、ＷＳＰ１００に属性情報を登録する（図２０に示す（１））。ＷＳＰ１００は、属性情報を保管すると共に、他の装置が属性情報へアクセスするための情報をＤＳ１０２に送付する（図２０に示す（２））。ＤＳ１０２は、送付された属性情報へアクセスするための情報であるアクセス情報を受信して保管する。この処理により、ユーザの属性情報の登録が完了する。【０００５】
上記の状態で、ユーザエージェント１０３がＷＳＣ１０１にアクセスし（図２０に示す（３））、ＷＳＣ１０１がユーザの属性情報を必要とする場合を考える。ＷＳＣ１０１は、属性情報にアクセスするための情報を取得するために、ＤＳ１０２にアクセス情報要求を送付する（図２０に示す（４））。当該要求を受信したＤＳ１０２はＷＳＰ１００から受信して保管していたアクセス情報をＷＳＣ１０１に提供する（図２０に示す（５））。ＷＳＣ１０１はアクセス情報に記載されている情報をもとに、属性情報を保管するＷＳＰ１００を発見する（図２０に示す（６））。その後、ＷＳＣ１０１はＷＳＰ１００に対して、属性情報の送信を要求し、取得する。【０００６】
以上のように、ＤＳ１０２が属性情報へアクセスするための情報を集中的に管理することにより、ＷＳＣ１０１は属性情報を発見することができる。【０００７】
また、特許文献１には、属性情報を発見するためのデータ配信制御システムが記載されている。図２１は、特許文献１に記載されているデータ配信制御システムの概略を示す説明図である。図２１に示すように、特許文献１に記載されているデータ配信制御システムは、端末２００と、データ送受信制御装置２０１と、データ管理装置２０２とから構成される。【０００８】
このような構成を有する特許文献１に記載されている属性情報を発見するシステムは次のように動作する。【０００９】
端末２００は、データを要求する際に、データ送受信制御装置２０１にデータの送信の要求を送付する。データ送受信制御装置２０１は自身が管理するデータ管理装置２０２にアクセスするための情報であるアクセス情報を利用して、複数のデータ管理装置から端末２００が要求するデータを保有する複数のデータ管理装置２０２を発見する。その後、データ送受信制御装置２０１はデータ管理装置２０２にデータの送信を要求する。要求を受信したデータ管理装置２０２は、端末２００にデータを送信する。【００１０】
非特許文献１に記載されている属性情報管理システム、および特許文献１に記載されているデータ配信制御システムのように、ある情報管理装置が保有する属性情報を発見する際には、事前に登録していたアクセスするための情報であるアクセス情報を検索し、アクセス情報をもとに実際に属性情報を保有する装置を発見し、当該装置に属性情報に関する要求を送付する。【００１１】
ここで、アクセス情報とは、ユーザ識別子、属性情報を管理するサーバにアクセスするためのＵＲＬ（Ｕｎｉｆｏｒｍ  Ｒｅｓｏｕｒｃｅ  Ｌｏｃａｔｏｒ）、保有する属性情報の種類、アクセスするための条件などを含む情報である。また、属性情報とは、ユーザの特徴を表す情報の集合のことである。属性情報には、氏名、住所、電話番号、電子メールアドレスといったユーザを一意に特定する情報だけでなく、趣味、嗜好、アクセス履歴の情報といったユーザと一意に結びつかない情報も含まれ、ユーザに関連した情報が含まれる。
【先行技術文献】
【特許文献】
【００１２】
【特許文献１】特開２００６−３１５３９号公報（段落００３１〜０１７７、図２）
【非特許文献】
【００１３】
【非特許文献１】リバティアライアンスプロジェクト（Ｌｉｂｅｒｔｙ  Ａｌｌｉａｎｃｅ  Ｐｒｏｊｅｃｔ）、“リバティ  アイデンティティ  ウェブサービス  フレームワーク（Ｌｉｂｅｒｔｙ  Ｉｄｅｎｔｉｔｙ  Ｗｅｂ  Ｓｅｒｖｉｃｅｓ  Ｆｒａｍｅｗｏｒｋ）（ＩＤ−ＷＳＦ）Ｖ２．０”［ｏｎｌｉｎｅ］、２００７年７月９日、［平成２１年６月３０日検索］、インターネット、＜ＵＲＬ  ｈｔｔｐ：／／ｗｗｗ．ｐｒｏｊｅｃｔｌｉｂｅｒｔｙ．ｏｒｇ／ｒｅｓｏｕｒｃｅ＿ｃｅｎｔｅｒ／ｓｐｅｃｉｆｉｃａｔｉｏｎｓ／ｌｉｂｅｒｔｙ＿ａｌｌｉａｎｃｅ＿ｉｄ＿ｗｓｆ＿２＿０＿ｓｐｅｃｉｆｉｃａｔｉｏｎｓ＿ｉｎｃｌｕｄｉｎｇ＿ｅｒｒａｔａ＿ｖ１＿０＿ｕｐｄａｔｅｓ＞
【発明の概要】
【発明が解決しようとする課題】
【００１４】
非特許文献１に記載されている属性情報管理システム、および特許文献１に記載されているデータ配信制御システムの第１の問題点は、他の装置が属性情報へアクセスするために必要となるアクセス情報を記憶する装置であるＤＳが複数存在する場合には、属性情報を管理する装置であるＷＳＰはどの装置（ＤＳ）にアクセス情報を登録すればよいのか判断できないということである。【００１５】
その理由は、属性情報を管理する装置は、どの装置にアクセス情報を配布すればよいのか判断するための情報を管理していないためである。判断するための情報とは、例えば、属性情報を登録したユーザがどの装置にユーザアカウントを持っているか、などの情報である。もし、属性情報を管理する装置が全ての装置にアクセス情報を送付すればそのような判断をする必要はなくなる。しかし、全ての装置にアクセス情報を送付すると、ユーザが利用しない装置にもアクセス情報を登録することになるので、効率的でない。また、アクセス情報を管理するサーバが増えるので、属性情報の漏えいの危険性が増す。【００１６】
非特許文献１に記載されている属性情報管理システム、および特許文献１に記載されているデータ配信制御システムの第２の問題点は、アクセス情報を記憶する装置であるＤＳが複数存在する場合には、属性情報を取得する装置であるＷＳＣはどの装置からアクセス情報を取得すればよいか判断できないということである。【００１７】
その理由は、属性情報を取得する装置は、どの装置が属性情報を管理する装置へアクセスするための情報であるアクセス情報を保有しているか、把握していないためである。もし、全ての装置にアクセス情報の送信を要求すれば必要な情報を取得できるが、アクセス情報を保有していない装置にもアクセス情報の送信を要求するので効率的でない。【００１８】
非特許文献１に記載されている属性情報管理システム、および特許文献１に記載されているデータ配信制御システムの第３の問題点は、アクセス情報を複数のサーバ間で共有する場合には、情報漏えいの問題が起こりうるということである。【００１９】
その理由は、アクセス情報に記載されている情報を入手した装置は、容易に属性情報を管理する装置が保有する属性情報を取得できるためである。ユーザの属性情報は、ユーザ個人と結びつけられた情報であるので、プライバシ保護の観点から情報漏えいを防ぐ必要がある。【００２０】
本発明は、属性情報を管理する装置が効率的にアクセス情報を登録できる属性情報連携提供システム、アクセス情報管理装置、アクセス情報代理管理装置、方法、およびプログラムを提供することを目的とする。また、本発明は、属性情報を取得する装置が効率的にアクセス情報を取得できる属性情報連携提供システム、アクセス情報管理装置、アクセス情報代理管理装置、方法、およびプログラムを提供することも目的とする。さらに、本発明は、利用者のプライバシを保護した安全な属性情報交換を実現できる属性情報連携提供システム、アクセス情報管理装置、アクセス情報代理管理装置、方法、およびプログラムを提供することも目的とする。
【課題を解決するための手段】
【００２１】
本発明による属性情報連携提供システムは、ユーザに関連する情報である属性情報を管理して他の装置に提供する属性情報提供装置と、属性情報を属性情報提供装置から取得する他の装置である属性情報取得装置と、属性情報取得装置が属性情報提供装置にアクセスするための第１のアクセス情報を管理するアクセス情報管理装置と、属性情報取得装置がアクセス情報管理装置にアクセスするための第２のアクセス情報を管理するアクセス情報代理管理装置とを備え、属性情報提供装置は、属性情報を登録するときに、属性情報提供装置にアクセスするための第１のアクセス情報を発行し、アクセス情報管理装置に送信する第１のアクセス情報発行手段を含み、アクセス情報管理装置は、属性情報提供装置から第１のアクセス情報を受信すると、自アクセス情報管理装置にアクセスするための第２のアクセス情報を発行し、アクセス情報代理管理装置に送信する第２のアクセス情報発行手段と、属性情報取得装置の要求に応じて、第１のアクセス情報を送信する第１のアクセス情報送信手段とを含み、アクセス情報代理管理装置は、アクセス情報管理装置が送信した第２のアクセス情報を管理し、属性情報取得装置からアクセス情報の送信を要求された場合に、第２のアクセス情報を送信する第２のアクセス情報送信手段を含み、属性情報取得装置は、アクセス情報代理管理装置にアクセス情報の送信を要求し、要求に応じて送信された第２のアクセス情報を受信する第２のアクセス情報取得手段と、第２のアクセス情報取得手段が取得した第２のアクセス情報にもとづいて、アクセス情報管理装置にアクセス情報の送信を要求し、要求に応じて送信された第１のアクセス情報を受信する第１のアクセス情報取得手段と、第１のアクセス情報取得手段が取得した第１のアクセス情報にもとづいて、属性情報提供装置に属性情報の送信を要求し、要求に応じて送信された属性情報を取得する属性情報取得手段とを含むことを特徴とする。【００２２】
本発明によるアクセス情報管理装置は、ユーザに関連する情報である属性情報を管理する属性情報提供装置が発行した当該属性情報提供装置にアクセスするための第１のアクセス情報を管理するアクセス情報管理手段と、自アクセス情報管理装置にアクセスするための情報が記載された第２のアクセス情報を生成し、属性情報を使用する属性情報取得装置に第２のアクセス情報を送信するアクセス情報代理管理装置に、第２のアクセス情報を送信する第２のアクセス情報発行手段と、アクセス情報代理管理装置から第２のアクセス情報を取得した属性情報取得装置の要求に応じた第１のアクセス情報を送信する第１のアクセス情報送信手段とを備えたことを特徴とする。【００２３】
本発明によるアクセス情報代理管理装置は、ユーザに関連する情報である属性情報を使用する属性情報取得装置に属性情報を管理する属性情報提供装置にアクセスするための情報を送信するアクセス情報管理装置から受信した当該アクセス情報管理装置にアクセスするためのアクセス情報を管理するアクセス情報代理管理手段と、属性情報取得装置からアクセス情報の送信を要求された場合に、要求に応じたアクセス情報をアクセス情報代理管理手段から取得するアクセス情報検索手段と、属性情報取得装置にアクセス情報検索手段が取得したアクセス情報を送信する送受信手段とを備えたことを特徴とする。【００２４】
本発明によるアクセス情報管理方法は、ユーザに関連する情報である属性情報を管理する属性情報提供装置が発行した自属性情報提供装置にアクセスするための第１のアクセス情報を生成し、属性情報を使用する属性情報取得装置に第１のアクセス情報を送信するアクセス情報管理装置に、第１のアクセス情報を送信し、アクセス情報管理装置が発行した自アクセス情報管理装置にアクセスするため第２のアクセス情報を生成し、属性情報取得装置に第２のアクセス情報を送信するアクセス情報代理管理装置に、第２のアクセス情報を送信し、属性情報取得装置の要求に応じた第２のアクセス情報を当該属性情報取得装置に送信し、第２のアクセス情報を取得した属性情報取得装置の要求に応じた第１のアクセス情報を当該属性情報取得装置に送信し、第１のアクセス情報を取得した属性情報取得装置の要求に応じた属性情報を当該属性情報取得装置に送信することを特徴とする。【００２５】
本発明によるアクセス情報代理管理方法は、ユーザに関連する情報である属性情報を使用する属性情報取得装置に、属性情報を管理する属性情報提供装置にアクセスするための情報を送信するアクセス情報管理装置から取得したアクセス情報を保管し、属性情報取得装置からアクセス情報の送信を要求された場合に、保管しているアクセス情報のうち、要求に応じたアクセス情報を属性情報取得装置に送信することを特徴とする。【００２６】
本発明によるアクセス情報管理プログラムは、コンピュータに、ユーザに関連する情報である属性情報を管理する属性情報提供装置が発行した当該属性情報提供装置にアクセスするための第１のアクセス情報を管理するアクセス情報管理処理と、属性情報提供装置にアクセスするための情報を送信する自アクセス情報管理装置にアクセスするための情報が記載された第２のアクセス情報を生成し、属性情報を使用する属性情報取得装置に第２のアクセス情報を送信するアクセス情報代理管理装置に、第２のアクセス情報を送信する第２のアクセス情報発行処理と、第２のアクセス情報を取得した属性情報取得装置からアクセス情報の送信を要求された場合に、要求に応じた第１のアクセス情報を属性情報取得装置に送信する第１のアクセス情報送信処理とを実行させることを特徴とする。【００２７】
本発明によるアクセス情報代理管理プログラムは、コンピュータに、ユーザに関連する情報である属性情報を使用する属性情報取得装置に属性情報を管理する属性情報提供装置にアクセスするための情報を送信するアクセス情報管理装置から取得したアクセス情報を保管するアクセス情報代理管理処理と、属性情報取得装置からアクセス情報の送信を要求された場合に、保管しているアクセス情報のうち、要求に応じたアクセス情報を取得するアクセス情報検索処理と、アクセス情報検索処理で取得したアクセス情報を属性情報取得装置に送信する処理とを実行させることを特徴とする。
【発明の効果】
【００２８】
本発明によれば、属性情報を提供する属性情報提供装置が効率的にアクセス情報を登録できる。その理由は、属性情報提供装置が１つのアクセス情報管理装置にアクセス情報を提供すれば、アクセス情報管理装置が他のアクセス情報代理管理装置にアクセス情報を提供するので、属性情報提供装置が複数のアクセス情報管理装置にアクセス情報を提供する必要がないからである。【００２９】
また、本発明によれば、属性情報取得装置が効率的に属性情報にアクセスできる。その理由は、属性情報取得装置は属性情報へのアクセス情報を取得する際に、不特定多数のアクセス情報管理装置にアクセス情報の送信を要求する必要が無く、１つのアクセス情報代理管理装置と１つのアクセス情報管理装置とにアクセス情報の送信を要求することにより、属性情報へのアクセス情報を取得できるからである。【００３０】
本発明によれば、アクセス情報管理装置がアクセス情報を他の装置に開示しても、属性情報に関するユーザのプライバシを保護できる。その理由は、アクセス情報管理装置が他の装置に提供するアクセス情報には、当該アクセス情報管理装置へのアクセス情報のみが含まれており、属性情報管理装置へのアクセス情報が含まれていないからである。従って、アクセス情報代理管理装置がアクセス情報管理装置から受け取ったアクセス情報には属性情報へアクセスするための情報が含まれていないので、属性情報へのアクセスが制限される。
【図面の簡単な説明】
【００３１】
【図１】本発明による属性情報連携提供システムの第１の実施形態の構成例を示すブロック図である。
【図２】アクセス情報管理装置の構成例を示すブロック図である。
【図３】属性情報取得装置のリストの例を示す説明図である。
【図４】属性情報取得装置情報保管手段に保管されるアクセス情報代理管理装置のリストを示す説明図である。
【図５】利用者情報管理手段に格納されているＩＤの情報を示す説明図である。
【図６】アクセス情報代理管理装置の構成例を示すブロック図である。
【図７】ユーザ端末装置が送信した属性情報を属性情報取得装置に提供する動作を示すフローチャートである。
【図８】ユーザ端末装置が送信した属性情報を属性情報取得装置に提供する処理を示すシーケンス図である。
【図９】属性情報の事前登録の処理を示すフローチャートである。
【図１０】アクセス情報管理装置がアクセス情報を登録する処理を示すフローチャートである。
【図１１】属性情報取得装置がアクセス情報を取得する処理を示すフローチャートである。
【図１２】本発明による属性情報連携提供システムの第２の実施形態の構成例を示すブロック図である。
【図１３】アクセス情報管理装置の構成例を示すブロック図である。
【図１４】第２の実施形態における属性情報事前登録の処理を示すフローチャートである。
【図１５】第２の実施形態におけるアクセス情報管理装置がアクセス情報を登録する処理を示すフローチャートである。
【図１６】第２の実施形態におけるアクセス情報取得処理を示すフローチャートである。
【図１７】本発明による属性情報連携提供システムの第３の実施形態の構成例を示すブロック図である。
【図１８】本発明による属性情報連携提供システムの実施例の構成を示す説明図である。
【図１９】本発明の概要を示すブロック図である。
【図２０】非特許文献１に記載されている属性情報管理システムの概略を示す説明図である。
【図２１】特許文献１に記載されているデータ配信制御システムの概略を示す説明図である。
【発明を実施するための形態】
【００３２】
実施形態１．
本発明による属性情報連携提供システムの第１の実施形態について、図面を参照して説明する。図１は、本発明による属性情報連携提供システムの第１の実施形態の構成例を示すブロック図である。図１に示すように、本発明の第１の実施形態の属性情報連携提供システムは、属性情報提供装置１と、属性情報取得装置２と、アクセス情報管理装置３と、アクセス情報代理管理装置４とを含み、各装置はユーザ端末装置５が接続された通信ネットワーク６に接続されている。
【００３３】
属性情報提供装置１は、属性情報を管理し、属性情報取得装置２に属性情報を送付する。すなわち送信する。また、属性情報を取得するために必要な情報であるアクセス情報である第１のアクセス情報を生成し、アクセス情報管理装置３に送付する。
【００３４】
属性情報取得装置２は、予め決められたアクセス情報管理装置３やアクセス情報代理管理装置４に属性情報を取得するためのアクセス情報である第１のアクセス情報や後述する第２のアクセス情報の送信を要求して取得し、そのアクセス情報にもとづいて属性情報管理装置１に属性情報の送信を要求し、取得する。具体的には、属性情報管理装置１が送信要求に応じて送信した属性情報を受信する。なお、属性情報取得装置２は、最先にアクセス情報の送信を要求する装置であるアクセス情報代理管理装置４やアクセス情報管理装置３の情報を予め記憶しているとする。
【００３５】
なお、本発明において、アクセス情報における属性情報の種類とは、当該属性情報に含まれる情報の内容の種類をいう。例えば、前述した氏名や、電話番号等である。また、アクセス情報におけるアクセスするための条件とは、属性情報の利用目的、属性情報の提供者（プロバイダ）、属性情報の利用期間等の属性情報を保有または利用するための条件をいう。そして、属性情報取得装置２は、アクセス情報におけるアクセスするための条件を遵守できない場合には、属性情報管理装置１に属性情報の送信を要求しない。
【００３６】
アクセス情報管理装置３について説明する。アクセス情報管理装置３は、属性情報提供装置１からアクセス情報として第１のアクセス情報を受信して取得し、属性情報取得装置２に提供する。すなわち、送信する。また、アクセス情報代理管理装置４向けにアクセス情報として第２のアクセス情報を生成し、送付する。
【００３７】
図２は、アクセス情報管理装置３の構成例を示すブロック図である。図２に示すように、アクセス情報管理装置３は、アクセス情報登録処理手段３１と、アクセス情報管理手段３２と、利用装置確認受付手段３３と、属性情報取得装置情報保管手段３４と、アクセス情報生成手段３５と、アクセス情報送付手段３６と、利用者情報管理手段３７と、アクセス情報要求受付手段３８と、アクセス情報取得手段３９と、アクセス情報提供手段３０とを含む。
【００３８】
アクセス情報登録処理手段３１は、属性情報管理装置１から属性情報にアクセスするために必要となるアクセス情報を受信し、アクセス情報管理手段３２に登録する。具体的には、属性情報管理装置１から属性情報を取得するための第１のアクセス情報を受信して取得し、アクセス情報管理手段３２に登録する。ここで取得する第１のアクセス情報には、属性情報管理装置１のＵＲＬや属性情報管理装置１が発行した利用者を一意に識別するＩＤを示す情報、属性情報管理装置１が保有する属性情報の種類などが含まれる。
【００３９】
アクセス情報管理手段３２は、属性情報管理装置１から受信したアクセス情報である第１のアクセス情報を保管する。
【００４０】
利用装置確認受付手段３３は、ユーザ端末装置５から、アクセス情報を取得する属性情報取得装置２のリストであるアクセス情報管理装置３がアクセス情報を提供する属性情報取得装置２のリストを取得する。図３は、属性情報取得装置２のリストの例を示す説明図である。図３に示す例では、属性情報取得装置２のリストには、レンタカーサイトやショッピングサイト等の複数のウェブサイトのＵＲＬが記載されている。
【００４１】
また、利用装置確認受付手段３３は、属性情報取得装置情報保管手段３４から、図３に例示したリストに記載されている属性情報取得装置２が利用するアクセス情報代理管理装置４のリストを取得する。
【００４２】
属性情報取得装置情報保管手段３４は、属性情報取得装置２が利用するアクセス情報代理管理装置４のリストを保管する。図４は、属性情報取得装置情報保管手段３４に保管されるアクセス情報代理管理装置４のリストを示す説明図である。図４に示す例におけるユーザＩＤは、ユーザ端末装置５のユーザを識別するためのＩＤである。当該ユーザＩＤは、予め属性情報取得装置２およびアクセス情報代理管理装置４によって共有されている。つまり、属性情報取得装置２およびアクセス情報代理管理装置４は、当該ユーザＩＤを用いてユーザを識別する。
【００４３】
アクセス情報生成手段３５は、利用装置確認受付手段３３が取得したアクセス情報代理管理装置４のリストに記載されているそれぞれの装置に対応するアクセス情報である第２のアクセス情報を生成する。ここで、アクセス情報生成手段３５が生成する第２のアクセス情報はアクセス情報登録処理手段３１が属性情報管理装置１から取得したアクセス情報である第１のアクセス情報とは異なり、当該アクセス情報管理装置３がアクセス情報管理手段３２に保管されている当該第１アクセス情報を取得するために必要な情報である。
【００４４】
第２のアクセス情報には、例えば、アクセス情報管理装置３のＵＲＬや、アクセス情報管理装置３が発行したユーザを一意に識別するＩＤを示す情報、アクセス情報管理手段３２が保有するアクセス情報である第１のアクセス情報に含まれる属性情報の種類が含まれる。アクセス情報生成手段３５が生成するアクセス情報である第２のアクセス情報は、アクセス情報代理管理装置４ごとに異なる情報であってもよい。
【００４５】
アクセス情報送付手段３６は、アクセス情報生成手段３５が生成したアクセス情報を利用装置確認受付手段３３が取得したアクセス情報代理管理装置４のリストに記載されているそれぞれの装置に送付する。
【００４６】
利用者情報管理手段３７は、アクセス情報生成手段３５がアクセス情報を生成するために必要になるユーザのＩＤの情報を格納して保有する。図５は、利用者情報管理手段３７に格納されているＩＤの情報を示す説明図である。図５に示すように、利用者情報管理手段３７には、アクセス情報管理装置３が発行し、当該アクセス情報管理装置３とアクセス情報代理管理装置４とで共有されるユーザＩＤである第２のアクセス情報に用いられるユーザＩＤ（図５の左欄）と、当該ユーザＩＤによってアクセス情報管理装置３に識別されるユーザを属性情報提供装置１が識別するためのユーザＩＤである第１のアクセス情報に用いられるユーザＩＤ（図５の右欄）とが関連づけられて格納されている。また、図５の中欄には、アクセス情報として第１のアクセス情報を送付した属性情報提供装置２が示されている。なお、図５に示される各情報は、アクセス情報管理装置３が第２のアクセス情報を生成するときに利用者情報管理手段３７に格納される。
【００４７】
アクセス情報要求受付手段３８は、属性情報取得装置２からアクセス情報の送信を要求する要求メッセージを受信する。この要求メッセージには、アクセス情報生成手段３５が生成したアクセス情報である第１のアクセス情報に含まれるユーザＩＤを示す情報や必要とする属性情報の種類が記載されている。
【００４８】
アクセス情報取得手段３９は、アクセス情報管理手段３２から要求メッセージに応じたアクセス情報として第１のアクセス情報を取得する。例えば、アクセス情報要求受付手段３８が受信した要求メッセージに記載されているユーザＩＤを利用者情報管理手段３７に格納されている情報を利用して変換する。具体的には、要求メッセージに記載されているユーザＩＤが図５の右欄に示されているユーザＩＤに合致している場合に、図５の左欄に示されているユーザＩＤに変換する。そして、変換後のユーザＩＤと属性情報の種類とにもとづいてアクセス情報管理手段３２から該当するアクセス情報を取得する。
【００４９】
アクセス情報提供手段３０は、アクセス情報取得手段３９が取得したアクセス情報である第１のアクセス情報を属性情報取得装置２に送付する。
【００５０】
アクセス情報代理管理装置４について説明する。アクセス情報代理管理装置４は、アクセス情報管理装置３からアクセス情報として第２のアクセス情報を取得し、属性情報取得装置２に送付する。つまり、アクセス情報代理管理装置４は、アクセス情報管理装置３から受信した第２のアクセス情報を属性情報取得装置２に送信する。
【００５１】
図６は、アクセス情報代理管理装置４の構成例を示すブロック図である。図６に示すように、アクセス情報代理管理装置４は、アクセス情報登録手段４１と、アクセス情報代理保管手段４２と、アクセス情報要求受付手段４３と、アクセス情報検索手段４４と、利用者情報管理手段４５と、アクセス情報送付手段４６とを含む。
【００５２】
アクセス情報登録手段４１は、アクセス情報管理装置３からアクセス情報として第２のアクセス情報を受信し、受信した第２のアクセス情報をアクセス情報代理保管手段４２に登録する。アクセス情報代理保管手段４２は、登録されたアクセス情報である第２のアクセス情報を保管する。
【００５３】
利用者情報管理手段４５は、ユーザの識別子情報を保管する。保管する内容は、アクセス情報管理装置３における利用者情報管理手段３７と同様な内容（図５に例示した内容）である。
【００５４】
アクセス情報要求受付手段４３は、属性情報取得装置２からアクセス情報の送信を要求するメッセージを受信する。当該メッセージには、ユーザを一意に示す識別子や属性情報取得装置２が要求する属性情報の種類などが記載されている。
【００５５】
アクセス情報検索手段４４は、当該メッセージに応じて、必要なアクセス情報をアクセス情報保管手段４２から取得する。例えば、当該メッセージに記載されている識別子を利用者情報管理手段４５が保管する情報である識別子情報にもとづいて、第２のアクセス情報に記載の識別子であるユーザＩＤに変換し、変換後の当該識別子とメッセージに記載の属性情報の種類とにもとづいてアクセス情報保管手段４２から必要なアクセス情報として第２のアクセス情報を取得する。なお、アクセス情報検索手段４４が行う処理は、アクセス情報取得手段３９が行う処理に同様である。
【００５６】
アクセス情報送付手段４６は、アクセス情報検索手段４４が取得したアクセス情報である第２のアクセス情報を属性情報取得装置２に送付する。
【００５７】
ユーザ端末装置５は、ユーザの操作に応じて、当該ユーザが利用する属性情報取得装置２のリストをアクセス情報管理装置３に送付する。
【００５８】
次に、本発明の第１の実施形態の属性情報連携提供システムの動作について説明する。図７は、ユーザ端末装置５が送信した属性情報を属性情報取得装置２に提供する動作を示すフローチャートである。なお、図７には、属性情報取得装置２が、アクセス情報代理管理装置４から第２のアクセス情報を受信することなく、最先にアクセス情報管理装置３から第１のアクセス情報を取得する例について示されている。
【００５９】
まず、ユーザ端末装置５が属性情報提供装置１に属性情報を登録し、属性情報提供装置１がその属性情報へのアクセス情報である第１のアクセス情報をアクセス情報管理装置３に登録する（ステップＳ１０１）。これは事前登録処理であり、属性情報を属性情報取得装置２に提供する前に行われる。ステップＳ１０１の処理の内容については、後述する。
【００６０】
次に、属性情報を必要とする属性情報取得装置２は、アクセス情報管理装置３に登録されたアクセス情報である第１のアクセス情報を取得する（ステップＳ１０２）。ステップＳ１０２の処理の内容については、後述する。ステップＳ１０２の処理はステップＳ１０１の処理の直後に行う必要はない。ステップＳ１０１の処理が完了していれば、属性情報取得装置２は任意のタイミングでステップＳ１０２以降の処理を行ってもよい。
【００６１】
さらに、アクセス情報管理装置３に登録されたアクセス情報である第１のアクセス情報を取得した属性情報取得装置２は、第１のアクセス情報に記載されている属性情報提供装置１に属性情報の送信を要求する要求メッセージを生成し、送付する（ステップＳ１０３）。最後に、当該要求メッセージを受信した属性情報提供装置１は、要求に応じて、属性情報を属性情報取得装置２へ送付する（ステップＳ１０４）。
【００６２】
上記のユーザ端末装置５が送信した属性情報を属性情報取得装置２に提供する処理について、図８に示すシーケンス図を用いて説明する。図８は、ユーザ端末装置５が送信した属性情報を属性情報取得装置２に提供する処理を示すシーケンス図である。まず、属性情報の登録処理について説明する。
【００６３】
ユーザ端末装置５を介してユーザは属性情報を属性情報提供装置１に登録する（ステップＳ２０１）。次に、属性情報提供装置１は自装置にアクセスするためのアクセス情報である第１のアクセス情報を発行し、アクセス情報管理装置３に送付する（ステップＳ２０２）。次に、アクセス情報管理装置３は属性情報提供装置１が発行したアクセス情報である第１のアクセス情報とは異なる第２のアクセス情報を発行し、アクセス情報代理管理装置４に送付する（ステップＳ２０３）。当該第２のアクセス情報には、アクセス情報管理装置３にアクセスするための情報が記載されている。アクセス情報代理管理装置４が当該第２のアクセス情報を取得すると、アクセス情報代理管理装置４内で保管する。以上の処理により、属性情報の登録処理が終了する。
【００６４】
次に属性情報の取得処理について説明する。まず、属性情報取得装置２はアクセス情報代理管理装置４にアクセス情報の送信を要求する（ステップＳ２０４）。すると、アクセス情報代理管理装置４はアクセス情報管理装置３から取得した第２のアクセス情報を属性情報取得装置２に送付する（ステップＳ２０５）。
【００６５】
次に、属性情報取得装置２は、ステップＳ２０５の処理で送付された第２のアクセス情報に記載されている情報にもとづいて、アクセス情報管理装置３にアクセス情報の送信を要求する（ステップＳ２０６）。すると、アクセス情報管理装置３は属性情報提供装置１から取得したアクセス情報である第１のアクセス情報を属性情報取得装置に送付する（ステップＳ２０７）。次に、属性情報取得装置２は、ステップＳ２０７の処理で送付されて取得したアクセス情報である第１のアクセス情報にもとづいて、属性情報提供装置１にユーザの属性情報の送信を要求する（ステップＳ２０８）。すると、属性情報提供装置１は属性情報取得装置２に属性情報を送付する（ステップＳ２０９）。以上の処理により、属性情報の取得処理が終了する。
【００６６】
次に、図７に示すステップＳ１０１の処理である属性情報の事前登録について説明する。図９は、属性情報の事前登録の処理を示すフローチャートである。
【００６７】
まず、ユーザ端末装置５が利用者の属性情報を属性情報提供装置１に登録する（ステップＳ３０１）。次に属性情報提供装置１は、自装置が保有する属性情報にアクセスするための情報をアクセス情報として生成する（ステップＳ３０２）。さらに、属性情報提供装置１は、生成したアクセス情報である第１のアクセス情報をアクセス情報管理装置３に送付し、アクセス情報管理装置３が第１のアクセス情報を登録する（ステップＳ３０３）。
【００６８】
ここで、アクセス情報管理装置３がアクセス情報を登録する処理（図９に示すステップＳ３０３の処理）について説明する。図１０は、アクセス情報管理装置３がアクセス情報を登録する処理を示すフローチャートである。
【００６９】
まず、アクセス情報登録処理手段３１が属性情報提供装置１からアクセス情報として第１のアクセス情報を取得する（ステップＳ４０１）。次に、アクセス情報登録手段３１が、ステップＳ４０１の処理で取得された第１のアクセス情報をアクセス情報管理手段３２に登録する（ステップＳ４０２）。
【００７０】
その後、利用装置確認受付手段３３がユーザ端末装置５から、属性情報を利用する属性情報取得装置２のリストを取得する。ここで取得したリストと属性情報取得装置情報保管手段３４に保管されているリストとを比較し、他のアクセス情報代理管理装置４へアクセス情報を送付するか否かを判断する（ステップＳ４０３）。例えば、利用装置確認受付手段３３が図３に例示したリストを取得し、属性情報取得装置情報保管手段３４が図４に例示したリストを保有している場合、ＩＳＰ１とＩＳＰ２というアクセス情報代理管理装置４が利用されるため、アクセス情報管理装置３はＩＳＰ１、ＩＳＰ２という２つのアクセス情報代理管理装置４にアクセス情報として第２のアクセス情報を送付する、と判断する。もしステップＳ４０３の処理でアクセス情報を他の装置であるアクセス代理管理装置４に提供しないと判断した場合には（ステップＳ４０３のＮ）、アクセス情報を登録する処理を終了し、属性情報登録処理を終了する。
【００７１】
ステップＳ４０３の処理でアクセス情報を他の装置であるアクセス代理管理装置４へ提供すると判断した場合には（ステップＳ４０３のＹ）、アクセス情報生成手段３５は利用者情報管理手段３７に格納されている情報を利用してアクセス情報代理管理装置４に提供するためのアクセス情報である第２のアクセス情報を生成する（ステップＳ４０４）。このときに生成するアクセス情報である第２のアクセス情報には、当該アクセス情報管理装置３自身にアクセスし、属性情報提供装置１が発行したアクセス情報である第１のアクセス情報を取得するための情報が記載される。具体的には、当該アクセス情報管理装置３自身のＵＲＬや当該アクセス情報管理装置３自身が発行したユーザを一意に特定するための識別子が記載される。
【００７２】
次に、アクセス情報送付手段３６は、アクセス情報生成手段３５が作成したアクセス情報である第２のアクセス情報をアクセス情報代理管理装置４に送付する（ステップＳ４０５）。その後、アクセス情報生成手段３５は、アクセス情報を別のアクセス情報代理管理装置４に送付するか否かを確認する（ステップＳ４０６）。もし、送付する必要がある場合には（ステップＳ４０６のＹ）、再度ステップＳ４０４，Ｓ４０５の処理を繰り返す。ステップＳ４０６の処理において送付する必要がないと判断した場合には（ステップＳ４０６のＮ）、アクセス情報管理装置３はアクセス情報を登録する処理を終了し、属性情報登録処理を終了する。
【００７３】
その後、アクセス情報代理管理装置４のアクセス情報登録手段４１がアクセス情報管理装置３からアクセス情報として第２のアクセス情報を受信し、アクセス情報代理保管手段４２が、受信したアクセス情報である第２のアクセス情報を登録する（ステップＳ３０４）。もし、アクセス情報管理装置３がステップＳ４０３の処理においてアクセス情報を他の装置へ送信しないと判断した場合には、ステップＳ３０４の処理は行われない。また、ステップＳ３０４の処理は、アクセス情報管理装置３がアクセス情報を送付した全てのアクセス情報代理管理装置４によって行われる。
【００７４】
次に、図７に示すステップＳ１０２の処理である属性情報取得装置２がアクセス情報を取得する処理について説明する。図１１は、属性情報取得装置２がアクセス情報を取得する処理を示すフローチャートである。
【００７５】
まず、属性情報を必要とする属性情報取得装置２はアクセス情報を取得するために、アクセス情報管理装置３、またはアクセス情報代理管理装置４にアクセス情報の送信を要求する要求メッセージを送付する。もし、アクセス情報代理管理装置４ではなく、アクセス情報管理装置３に要求メッセージを送付する場合には、図１１に示すステップＳ５０４から処理を開始する。ここでは、アクセス情報代理管理装置４に要求メッセージを送付することを想定する（ステップＳ５０１）。当該要求メッセージには、ユーザを一意に示す識別子や属性情報取得装置２が要求する属性情報の種類などが記載されている。
【００７６】
次に、アクセス情報要求受付手段４３が当該要求メッセージを受信すると、アクセス情報検索手段４４は当該要求メッセージに応じたアクセス情報として第２のアクセス情報をアクセス情報保管手段４２から検索して取得する（ステップＳ５０２）。例えば、要求メッセージに記載の識別子を利用者情報管理手段４５が保管する情報にもとづいて変換し、当該変換後の識別子とメッセージに記載の属性情報の種類とから必要なアクセス情報である第２のアクセス情報を検索して取得する。ここで取得するアクセス情報は、属性情報提供装置１が発行したアクセス情報である第１のアクセス情報ではなく、アクセス情報管理装置３が発行したアクセス情報である第２のアクセス情報である。その後、アクセス情報送付手段４６は、取得したアクセス情報である第２のアクセス情報を属性情報取得装置２に送付する（ステップＳ５０３）。
【００７７】
次に、アクセス情報として第２のアクセス情報を取得した属性情報取得装置２は、第２のアクセス情報に記載されているＵＲＬのアクセス情報管理装置３に対して、アクセス情報の送信を要求する要求メッセージを送付する（ステップＳ５０４）。
【００７８】
アクセス情報管理装置３のアクセス情報要求受付手段３８が当該要求メッセージを受信すると、アクセス情報取得手段３９は当該要求メッセージに応じたアクセス情報である第１のアクセス情報をアクセス情報保管手段３２から検索して取得する（ステップＳ５０５）。ここで取得するアクセス情報は、属性情報提供装置１が発行したアクセス情報である第１のアクセス情報である。ステップＳ５０５の取得処理は、アクセス情報代理管理装置４がステップＳ５０２の処理において行うアクセス情報検索処理と同様である。次に、アクセス情報提供手段３０が、アクセス情報取得手段３９が取得したアクセス情報である第１のアクセス情報を属性情報取得装置２に送付する（ステップＳ５０６）。
【００７９】
本実施形態では、アクセス情報管理装置３が他の装置であるアクセス情報代理管理装置４にアクセス情報として第２のアクセス情報を送付するように構成されているので、属性情報提供装置１が複数のアクセス情報管理装置３にアクセス情報として第１のアクセス情報を提供する必要がなくなる。従って、属性情報を管理する属性情報管理装置１のＵＲＬ等が含まれる第１のアクセス情報を多くのアクセス情報管理装置３に送付すること、および送付された第１のアクセス情報を管理する装置数が増加することによる属性情報の漏えいの危険性の増大を防ぐことができる。
【００８０】
また、本実施形態では、属性情報取得装置２は多くとも２回のアクセス情報の送信要求により属性情報提供装置１が発行したアクセス情報である第１のアクセス情報を取得できるように構成されているので、属性情報取得装置２は効率的に属性情報にアクセスすることが可能になる。つまり、効率的に属性情報を取得することが可能になる。
【００８１】
また、本実施形態では、ユーザの識別子を送付する装置ごとに変更できるように構成されているので、ユーザの意に反して属性情報が一元化される装置間の名寄せを防ぐことができ、ユーザのプライバシを保護することができる。
【００８２】
実施形態２．
本発明による属性情報連携提供システムの第２の実施形態について、図面を参照して説明する。図１２は、本発明による属性情報連携提供システムの第２の実施形態の構成例を示すブロック図である。
【００８３】
図１２に示すように、本発明の第２の実施形態の属性情報連携提供システムは、図１に示す第１の実施形態の属性情報連携提供システムの構成に加え、アクセス情報管理装置７を含む点が異なる。
【００８４】
図１３は、アクセス情報管理装置７の構成例を示すブロック図である。図１３に示すように、アクセス情報管理装置７は、図２に示す第１の実施形態におけるアクセス情報管理装置３の構成におけるアクセス情報登録処理手段３１の代わりにアクセス情報登録処理手段７１を含み、アクセス情報取得手段３９の代わりにアクセス情報取得手段７３を含み、さらにアクセス情報代理管理手段７２を含む。
【００８５】
アクセス情報登録処理手段７１は、アクセス情報として、第１のアクセス情報または第２のアクセス情報を他の装置から受信し、アクセス情報管理手段３２またはアクセス情報代理管理手段７２に登録する。もし、属性情報提供装置１から第１のアクセス情報を受信した場合にはアクセス情報管理手段３２に当該第１のアクセス情報を登録し、アクセス情報管理装置３から第２のアクセス情報を受信した場合には、アクセス情報管理手段７２に当該第２のアクセス情報を登録する。
【００８６】
アクセス情報代理管理手段７２は、アクセス情報管理装置３から受信したアクセス情報である第２のアクセス情報を保管する。アクセス情報取得手段７３は、アクセス情報管理装置７が保管するアクセス情報を検索し、取得する。検索する対象は、アクセス情報管理手段３２またはアクセス情報管理手段７２に保管されているアクセス情報である第１のアクセス情報または第２のアクセス情報である。
【００８７】
次に、本発明の第２の実施形態の属性情報連携提供システムの動作について説明する。第２の実施形態におけるユーザ端末装置５が送信した属性情報を属性情報取得装置２に提供する動作は、図７に示す第１の実施形態におけるユーザ端末装置５が送信した属性情報を属性情報取得装置２に提供する動作と比較して、図７に示すステップＳ１０１の処理である属性情報事前登録の処理、および図７に示すステップＳ１０２の処理であるアクセス情報取得処理が異なり、他の動作は同様である。
【００８８】
図１４は、第２の実施形態における属性情報事前登録の処理を示すフローチャートである。図１４に示す第２の実施形態の属性情報事前登録の処理におけるステップＳ６０１，Ｓ６０２の処理は、図９に示す第１の実施形態の属性情報事前登録の処理におけるステップＳ３０１，Ｓ３０２の処理と同様なため説明を省略する。
【００８９】
図１５は、第２の実施形態におけるアクセス情報管理装置７がアクセス情報を登録する処理を示すフローチャートである。なお、図１５に示す第２の実施形態におけるアクセス情報管理装置７がアクセス情報を登録する処理は、図１４に示すステップＳ６０３の処理であって図９に示す第１の実施形態おけるステップＳ３０３の処理に対応する処理である。
【００９０】
アクセス情報管理装置７のアクセス情報登録処理手段７１が他の装置からアクセス情報を受信すると、当該アクセス情報の送信元が他のアクセス情報管理装置３であるか、それとも属性情報提供装置１であるか判断する（ステップＳ７０１）。もし、属性情報提供装置１からアクセス情報を受信していた場合には、アクセス情報管理手段３２に当該アクセス情報を登録する（ステップＳ７０２）。
【００９１】
もしステップＳ７０１の処理において、他のアクセス情報管理装置３からアクセス情報を受信したと判断した場合には、アクセス情報代理管理手段７２に当該アクセス情報を登録する（ステップＳ７０３）。
【００９２】
ステップＳ７０４〜Ｓ７０７の処理は、図１０に示す第１の実施形態におけるステップＳ４０３〜４０６の処理と同様なため説明を省略する。
【００９３】
図１５に示すステップＳ７０４の処理で、アクセス情報管理装置７がアクセス情報を他の装置に転送すると判断された場合、送付先の装置によって処理が異なる（ステップＳ６０４）。アクセス情報代理管理装置４にアクセス情報を送付する場合には、アクセス情報代理管理装置７が属性情報を管理する（ステップＳ６０５）。ステップＳ６０５の処理は、図９に示すステップＳ３０４の処理と同様なため、説明を省略する。もし、別のアクセス情報管理装置３にアクセス情報を送付する場合には、アクセス情報を受信した他のアクセス情報管理装置３は図１４に示すステップＳ６０３と同様な動作をする（ステップＳ６０６）。
【００９４】
次に、図７に示す第１の実施形態のステップＳ１０１の処理に対応する本実施形態におけるアクセス情報取得処理について、図面を参照して説明する。図１６は、第２の実施形態におけるアクセス情報取得処理を示すフローチャートである。
【００９５】
まず、属性情報取得装置２は、アクセス情報の送信を要求する装置を決定する（ステップＳ８０１）。そして、属性情報取得装置２がアクセス情報代理管理装置４からアクセス情報を取得する場合には、図１１に示す第１の実施形態のアクセス情報取得処理におけるステップＳ５０１〜Ｓ５０６の処理と同様の処理を行う（ステップＳ８０２〜Ｓ８０７）。
【００９６】
属性情報取得装置２がアクセス情報管理装置７にアクセス情報の送信を要求する場合には、属性情報取得装置２がアクセス情報の送信を要求するための要求メッセージを生成し、アクセス情報管理装置７に送付する（ステップＳ８０８）。当該要求メッセージは、アクセス情報要求受付手段３８によって受信される。
【００９７】
アクセス情報取得手段７３がアクセス情報をアクセス情報管理手段３２、またはアクセス情報代理管理手段７２から検索して取得する（ステップＳ８０９）。ステップＳ８０９の処理は、図１１に示す第１の実施形態におけるステップＳ５０２の処理と同様である。
【００９８】
アクセス情報提供手段３０は、アクセス情報取得手段７３が取得したアクセス情報を属性情報取得装置２に送付する（ステップＳ８１０）。次に、属性情報取得装置２はアクセス情報の発行者を検証する（ステップＳ８１１）。なお、アクセス情報の発行者を検証するとは、アクセス情報から属性情報管理サーバにアクセスするためのＵＲＬを取得する処理を行うことをいう。もし、属性情報提供装置１が当該アクセス情報を発行している場合には、アクセス情報取得処理を終了する。他のアクセス情報管理装置３が当該アクセス情報を発行していた場合には、発行したアクセス情報管理装置３にアクセス情報の送信を要求する処理を行う（ステップＳ８０５）。ステップＳ８０５以降の処理は、図１１に示すステップＳ５０４〜Ｓ５０６の処理である第１の実施形態におけるアクセス情報取得処理と同様である。
【００９９】
本実施形態では、アクセス情報管理装置７がアクセス情報代理管理装置として動作でき、属性情報へのアクセス情報をより多くの装置が持つことができるように構成されているため、属性情報取得装置２はより多くの装置からアクセス情報を取得することができる。
【０１００】
実施形態３．
本発明による属性情報連携提供システムの第３の実施形態について、図面を参照して説明する。図１７は、本発明による属性情報連携提供システムの第３の実施形態の構成例を示すブロック図である。
【０１０１】
本発明の第３の実施形態の属性情報連携提供システムでは、第１の実施形態および第２の実施形態における各装置が、プログラムを搭載してそのプログラムの制御に従って動作する。
【０１０２】
属性情報提供用プログラム９１は、属性情報提供装置９２の動作を制御し、属性情報取得装置９３に属性情報を提供し、アクセス情報管理装置９４にアクセス情報を提供する。属性情報提供装置９２は、属性情報提供用プログラム９１の制御により、第１の実施形態、および第２の実施形態における属性情報提供装置１と同様の処理を実行する。
【０１０３】
属性情報取得用プログラム９５は、属性情報取得装置９３の動作を制御し、アクセス情報管理装置９４やアクセス情報代理管理装置９６からアクセス情報を取得し、属性情報提供装置９２から属性情報を取得する。属性情報取得装置９３は、属性情報取得用プログラム９５の制御により、第１の実施形態、および第２の実施の形態における属性情報取得装置２と同様の処理を実行する。
【０１０４】
アクセス情報管理用プログラム（アクセス情報管理プログラムともいう）９６は、アクセス情報管理装置９４の動作を制御し、属性情報提供装置９２からアクセス情報を取得し、アクセス情報代理管理装置９７にアクセス情報を配布し、属性情報取得装置９３の要求に応じてアクセス情報を提供する。アクセス情報管理装置９４は、アクセス情報管理用プログラム９６の制御により、第１の実施形態、および第２の実施の形態におけるアクセス情報提供装置１、アクセス情報提供装置７による処理と同様の処理を実行する。
【０１０５】
アクセス情報代理管理用プログラム（アクセス情報代理管理プログラムともいう）９８は、アクセス情報代理管理装置９７の動作を制御し、アクセス情報管理装置９４からアクセス情報を取得し、属性情報取得装置９３の要求に応じてアクセス情報を提供する。アクセス情報代理管理装置９７は、アクセス情報代理管理用プログラム９８の制御により、第１の実施形態、および第２の実施の形態におけるアクセス情報代理管理装置４による処理と同様の処理を実行する。
【０１０６】
アクセス情報管理プログラム９６は、コンピュータに、ユーザに関連する情報である属性情報を管理する属性情報提供装置９２が発行した当該属性情報提供装置９２にアクセスするための第１のアクセス情報を管理するアクセス情報管理処理と、属性情報提供装置９２にアクセスするための情報を送信する自アクセス情報管理装置９４にアクセスするための情報が記載された第２のアクセス情報を生成し、属性情報を使用する属性情報取得装置９３に第２のアクセス情報を送信するアクセス情報代理管理装置９７に、第２のアクセス情報を送信する第２のアクセス情報発行処理と、第２のアクセス情報を取得した属性情報取得装置９３からアクセス情報の送信を要求された場合に、要求に応じた第１のアクセス情報を属性情報取得装置９３に送信する第１のアクセス情報送信処理とを実行させるためのプログラムである。
【０１０７】
アクセス情報代理管理プログラム９８は、コンピュータに、ユーザに関連する情報である属性情報を使用する属性情報取得装置９３に属性情報を管理する属性情報提供装置９２にアクセスするための情報を送信するアクセス情報管理装置９４から取得したアクセス情報を保管するアクセス情報代理管理処理と、属性情報取得装置９３からアクセス情報の送信を要求された場合に、保管しているアクセス情報のうち、要求に応じたアクセス情報を取得するアクセス情報検索処理と、アクセス情報検索処理で取得したアクセス情報を属性情報取得装置９３に送信する処理とを実行させるためのプログラムである。
【実施例】
【０１０８】
次に、具体的な実施例を用いて本発明による属性情報連携提供システムの動作を説明する。図１８は、本発明による属性情報連携提供システムの実施例の構成を示す説明図である。【０１０９】
図１８に示すように、本実施例の属性情報連携提供システムは、アクセス情報を管理し、インターネット等の通信ネットワークを介して他の装置にアクセス情報として第１のアクセス情報を提供するアクセス情報管理装置として振舞うテレコムキャリア８０と、テレコムキャリア８０からアクセス情報として第１のアクセス情報を受信し、受信した第１アクセス情報にもとづくアクセス情報である第２のアクセス情報を他の事業者に提供するアクセス情報代理管理装置として振舞うインターネットサービスプロバイダ（Ｉｎｔｅｒｎｅｔ  Ｓｅｒｖｉｃｅ  Ｐｒｏｖｉｄｅｒ：ＩＳＰ）８１と、属性情報取得装置として振舞うレンタカーサイト８２と、属性情報提供装置として振舞う旅行ポータルサイト８３とを含み、通信ネットワークを介してサービスの提供を受けるユーザ端末装置として振舞うＰＣ（Ｐｅｒｓｏｎａｌ  Ｃｏｍｐｕｔｅｒ）８４が当該通信ネットワークを介して各装置に接続されている。【０１１０】
なお、テレコムキャリア８０は、例えば、電気通信サービスを提供する事業者によって設置されたサーバである。【０１１１】
本実施例では、ユーザが、ＰＣ８４を介して旅行ポータルサイト８３に属性情報を登録し、登録した当該属性情報を利用してレンタカーサイト８２が提供するサービスを利用することを想定する。【０１１２】
例えば、レンタカーサイト８２は、旅行ポータルサイト８３が保有する属性情報を利用してユーザの氏名や連絡先である住所や電話番号を取得する。そのために、旅行ポータルサイト８３がアクセス情報として第１のアクセス情報を生成し、テレコムキャリア８０やＩＳＰ８１がアクセス情報として第１のアクセス情報や第２のアクセス情報を保管する。【０１１３】
本実施例では、テレコムキャリア８０は、レンタカーサイト８２とＩＳＰ８１との関係を予め知っているものとする。つまり、テレコムキャリア８０が、レンタカーサイト８２はアクセス情報の検索先としてＩＳＰ８１を利用している、という情報を保有しているものとする。この状況で、レンタカーサイト８２は旅行ポータルサイト８３から属性情報を取得する。【０１１４】
まず、ユーザはＰＣ８４を介して旅行ポータルサイト８３のサービス（具体的には、例えば、旅行ポータルサイト８３を実現するサーバ）にアクセスし、ユーザ情報として属性情報を登録する（ステップＳ９０１）。このときに、旅行ポータルサイト８３はユーザ情報を保管するだけでなく、当該ユーザ情報に対するアクセス情報である第１のアクセス情報を生成する（ステップＳ９０２）。【０１１５】
その後、旅行ポータルサイト８３は当該アクセス情報をテレコムキャリア８０に送付する（ステップＳ９０３）。当該アクセス情報をテレコムキャリア８０が受信すると、図２に示すアクセス情報管理手段３２に相当するテレコムキャリア８０のアクセス情報管理手段が保管し、どのサイトにアクセス情報を配布するのか決定するために、図２に示す利用装置確認受付手段３３に相当する利用装置確認受付手段が、ＰＣ８４から属性情報取得装置に関する情報を取得する（ステップＳ９０４）。【０１１６】
ここでは、テレコムキャリア８０は、ユーザがレンタカーサイト８２を利用する、という情報を取得したとする。当該情報を取得するとアクセス情報生成手段は、レンタカーサイト８２が利用するＩＳＰ８１の情報を取得し、ＩＳＰ８１向けのアクセス情報を生成する（ステップＳ９０５）。つまり、図２に示すアクセス情報生成手段３５に相当するテレコムキャリア８０のアクセス情報生成手段が、ＩＳＰ８１に送信するためのアクセス情報である第２のアクセス情報を生成する。【０１１７】
例えば、図２に示すアクセス情報生成手段３５に相当するアクセス情報生成手段は、図４に例示するリストを参照してアクセス情報の送付先のアクセス情報代理装置を決定する。ここで、ユーザＩＤがＩＤ：００２のユーザがレンタカーサイト８２を利用する場合には、ＩＳＰ８１にアクセス情報を送付する。ここでテレコムキャリア８０が送付するアクセス情報は、旅行ポータルサイト８３が生成したアクセス情報である第１のアクセス情報ではなく、テレコムキャリア８０自身が生成したアクセス情報である第２のアクセス情報である。次に、テレコムキャリア８０はＩＳＰ８１に当該アクセス情報を送付する（ステップＳ９０６）。【０１１８】
上記の一連の処理により、アクセス情報が各事業者であるテレコムキャリア８０およびＩＳＰ８１に配置され、属性情報を送受信するための事前処理が終了する。【０１１９】
次に、レンタカーサイト８２が旅行ポータルサイト８３から属性情報を取得する処理を説明する。【０１２０】
まず、レンタカーサイト８２が、ユーザの情報を取得するために、ユーザの情報にアクセスするための情報を取得する。そのために、レンタカーサイト８２はＩＳＰ８１にアクセス情報の送信を要求する（ステップＳ９０７）。ＩＳＰ８１は、アクセス情報の送信要求を受信すると、ステップＳ９０６の処理でテレコムキャリア８０から取得したアクセス情報である第２のアクセス情報を検索し（ステップＳ９０８）、レンタカーサイト８２に当該アクセス情報を送付する（ステップＳ９０９）。ステップＳ９０９の処理でレンタカーサイト８２が取得したアクセス情報は、属性情報を保有する旅行ポータルサイト８３が発行したアクセス情報である第１のアクセス情報ではなく、テレコムキャリア８０が発行したアクセス情報である第２のアクセス情報である。【０１２１】
レンタカーサイト８２は、テレコムキャリア８０に対して、属性情報に関するアクセス情報の送信を要求する（ステップＳ９１０）。テレコムキャリア８０が要求を受信すると、図２に示すアクセス情報取得手段３９に相当するアクセス情報取得手段は旅行ポータルサイト８３が発行したアクセス情報である第１のアクセス情報を検索する（ステップＳ９１１）。【０１２２】
次に、テレコムキャリア８０は、レンタカーサイト８２に旅行ポータルサイト８３が発行したアクセス情報である第１のアクセス情報を送付する（ステップＳ９１２）。レンタカーサイト８２は、旅行ポータルサイト８３が発行したアクセス情報である第１のアクセス情報を取得したので、属性情報を要求するための情報を取得したことになる。そこで、レンタカーサイト８２は、旅行ポータルサイト８３に属性情報の送信を要求し（ステップＳ９１３）、旅行ポータルサイト８３はレンタカーサイト８２に属性情報を送付する（ステップＳ９１４）。【０１２３】
本実施例によれば、テレコムキャリア８０がＩＳＰ８１に第２のアクセス情報を送付するように構成されているので、旅行ポータルサイト８３が複数の装置に第１のアクセス情報を提供する必要がなくなる。従って、属性情報を管理する旅行ポータルサイト８３のＵＲＬ等が含まれる第１のアクセス情報を多くの装置に送付すること、および送付された第１のアクセス情報を管理する装置数が増加することによる属性情報の漏えいの危険性の増大を防ぐことができる。【０１２４】
また、本実施例では、レンタカーサイト８２は２回の要求により旅行ポータルサイト８３が発行した第１のアクセス情報を取得できるように構成されているので、レンタカーサイト８２は効率的に属性情報を取得することが可能になる。【０１２５】
次に、本発明の概要について説明する。図１９は、本発明の概要を示すブロック図である。図１９に示すように、属性情報連携提供システムは、属性情報提供装置５１０、属性情報取得装置５２０と、アクセス情報管理装置５３０と、アクセス情報代理管理装置５４０とを含む。【０１２６】
属性情報提供装置５１０は、ユーザに関連する情報である属性情報を管理して他の装置に提供する。属性情報取得装置５２０は、属性情報を属性情報提供装置５１０から取得する他の装置である。アクセス情報管理装置５３０は、属性情報取得装置５２０が属性情報提供装置５１０にアクセスするための第１のアクセス情報を管理する。アクセス情報代理管理装置５４０は、属性情報取得装置５２０がアクセス情報管理装置５３０にアクセスするための第２のアクセス情報を管理する。【０１２７】
属性情報提供装置５１０は、属性情報を登録するときに、自属性情報提供装置５１０にアクセスするための第１のアクセス情報を発行し、アクセス情報管理装置５３０に送信する第１のアクセス情報発行手段５１１を含む。【０１２８】
アクセス情報管理装置５３０は、第２のアクセス情報発行手段５３１（図３に示すアクセス情報生成手段３５およびアクセス情報送付手段３６に相当）と、第１のアクセス情報送信手段５３２（図３に示すアクセス情報提供手段３０に相当）とを含む。第２のアクセス情報発行手段５３１は、属性情報提供装置５１０から第１のアクセス情報を受信すると、自アクセス情報管理装置５３０にアクセスするための第２のアクセス情報を発行し、アクセス情報代理管理装置５３０に送信する。第１のアクセス情報送信手段５３２は、属性情報取得装置５２０の要求に応じて、第１のアクセス情報を送信する。【０１２９】
アクセス情報代理管理装置５４０は、アクセス情報管理装置５３０が送信した第２のアクセス情報を管理し、属性情報取得装置５２０からアクセス情報の送信を要求された場合に、第２のアクセス情報を送信する第２のアクセス情報送信手段５４１（図６に示すアクセス情報送付手段４６に相当）を含む。【０１３０】
属性情報取得装置５２０は、第２のアクセス情報取得手段５２１と、第１のアクセス情報取得手段５２２と、属性情報取得手段５２３とを含む。【０１３１】
第２のアクセス情報取得手段５２１は、アクセス情報代理管理装置５４０にアクセス情報の送信を要求し、要求に応じて送信された第２のアクセス情報を受信する。第１のアクセス情報取得手段５２２は、第２のアクセス情報取得手段５２１が取得した第２のアクセス情報にもとづいて、アクセス情報管理装置５３０にアクセス情報の送信を要求し、要求に応じて送信された第１のアクセス情報を受信する。属性情報取得手段５２３は、第１のアクセス情報取得手段５２２が取得した第１のアクセス情報にもとづいて、属性情報提供装置５１０に属性情報の送信を要求し、要求に応じて送信された属性情報を取得する。【０１３２】
また、上記の実施形態には、アクセス情報管理装置５３０の第２のアクセス情報発行手段５３１が、属性情報提供装置が発行した第１のアクセス情報に記載されているユーザ識別子とは異なる識別子を記載した第２のアクセス情報を発行することが開示されている。そのような構成によれば、ユーザの意に反して属性情報が一元化される装置間の名寄せを防ぐことができ、ユーザのプライバシを保護することができる。【０１３３】
また、上記の実施形態には、アクセス情報管理装置５３０が、他のアクセス情報管理装置から受信した第２のアクセス情報を保管するアクセス情報保管手段（図１３に示すアクセス情報代理管理手段７２に相当）を含み、第１のアクセス情報送信手段５３２は、属性情報取得装置５２０からアクセス情報の送信を要求された場合に、属性情報提供装置５１０から取得した第１のアクセス情報、または他のアクセス情報管理装置から受信してアクセス情報保管手段が保管している第２のアクセス情報を属性情報取得装置５２０に送信することも開示されている。そのような構成によれば、アクセス情報管理装置５３０がアクセス情報代理管理装置として動作でき、属性情報へのアクセス情報をより多くの装置が持つことができ、属性情報取得装置５２０はより多くの装置からアクセス情報を取得することができる。【０１３４】
以上、実施形態および実施例を参照して本願発明を説明したが、本願発明は上記実施形態および実施例に限定されるものではない。本願発明の構成や詳細には、本願発明のスコープ内で当業者が理解し得る様々な変更をすることができる。【０１３５】
この出願は、２００９年１２月７日に出願された日本特許出願２００９−２７７９５１を基礎とする優先権を主張し、その開示の全てをここに取り込む。
【産業上の利用可能性】
【０１３６】
本発明は、ユーザの情報を管理する装置や、ユーザの情報を利用する装置、複数の装置がユーザの情報を利用するシステムに適用可能である。
【符号の説明】
【０１３７】
１、５１０  属性情報提供装置
２、５２０  属性情報取得装置
３、７、５３０  アクセス情報管理装置
４、５４０  アクセス情報代理管理装置
５  ユーザ端末装置
６  通信ネットワーク
３０  アクセス情報提供手段
３１  アクセス情報登録処理手段
３２  アクセス情報管理手段
３３  利用装置確認受付手段
３４  属性情報取得装置情報保管手段
３５  アクセス情報生成手段
３６  アクセス情報送付手段
３７  利用者情報管理手段
３８  アクセス情報要求受付手段
３９  アクセス情報取得手段
４１  アクセス情報登録手段
４２  アクセス情報代理保管手段
４３  アクセス情報要求受付手段
４４  アクセス情報検索手段
４５  利用者情報管理手段
４６  アクセス情報送付手段
７１  アクセス情報登録処理手段
７２  アクセス情報代理管理手段
７３  アクセス情報取得手段
８０  テレコムキャリア
８１  ＩＳＰ
８２  レンタカーサイト
８３  旅行ポータルサイト
８４  ＰＣ
９１  属性情報提供用プログラム
９２  属性情報提供装置
９３  属性情報取得装置
９４  アクセス情報管理装置
９５  属性情報取得用プログラム
９６  アクセス情報管理用プログラム
９７  アクセス情報代理管理装置
９８  アクセス情報代理管理用プログラム
５１１  第１のアクセス情報発行手段
５２１  第２のアクセス情報取得手段
５２２  第１のアクセス情報取得手段
５２３  属性情報取得手段
５３１  第２のアクセス情報発行手段
５３２  第１のアクセス情報送信手段
５４１  第２のアクセス情報送信手段
【図１】
2011070726.tif 000003
【図２】
2011070726.tif 000004
【図３】
2011070726.tif 000005
【図４】
2011070726.tif 000006
【図５】
2011070726.tif 000007
【図６】
2011070726.tif 000008
【図７】
2011070726.tif 000009
【図８】
2011070726.tif 000010
【図９】
2011070726.tif 000011
【図１０】
2011070726.tif 000012
【図１１】
2011070726.tif 000013
【図１２】
2011070726.tif 000014
【図１３】
2011070726.tif 000015
【図１４】
2011070726.tif 000016
【図１５】
2011070726.tif 000017
【図１６】
2011070726.tif 000018
【図１７】
2011070726.tif 000019
【図１８】
2011070726.tif 000020
【図１９】
2011070726.tif 000021
【図２０】
2011070726.tif 000022
【図２１】
2011070726.tif 000023
【手続補正書】
【提出日】平成24年6月21日(2012.6.21)
【手続補正１】
【補正対象書類名】特許請求の範囲
【補正対象項目名】全文
【補正方法】変更
【補正の内容】
【特許請求の範囲】
【請求項１】
ユーザに関連する情報である属性情報を管理して他の装置に提供する属性情報提供装置と、
前記属性情報を前記属性情報提供装置から取得する他の装置である属性情報取得装置と、
前記属性情報取得装置が前記属性情報提供装置にアクセスするための第１のアクセス情報を管理するアクセス情報管理装置と、
前記属性情報取得装置が前記アクセス情報管理装置にアクセスするための第２のアクセス情報を管理するアクセス情報代理管理装置とを備え、
前記属性情報提供装置は、属性情報を登録するときに、自属性情報提供装置にアクセスするための第１のアクセス情報を発行し、前記アクセス情報管理装置に送信する第１のアクセス情報発行手段を含み、
前記アクセス情報管理装置は、
前記属性情報提供装置から前記第１のアクセス情報を受信すると、自アクセス情報管理装置にアクセスするための第２のアクセス情報を発行し、前記アクセス情報代理管理装置に送信する第２のアクセス情報発行手段と、前記属性情報取得装置の要求に応じて、前記第１のアクセス情報を送信する第１のアクセス情報送信手段とを含み、
前記アクセス情報代理管理装置は、前記アクセス情報管理装置が送信した前記第２のアクセス情報を管理し、前記属性情報取得装置からアクセス情報の送信を要求された場合に、前記第２のアクセス情報を送信する第２のアクセス情報送信手段を含み、
前記属性情報取得装置は、
前記アクセス情報代理管理装置にアクセス情報の送信を要求し、前記要求に応じて送信された前記第２のアクセス情報を受信する第２のアクセス情報取得手段と、
前記第２のアクセス情報取得手段が取得した前記第２のアクセス情報にもとづいて、前記アクセス情報管理装置にアクセス情報の送信を要求し、前記要求に応じて送信された前記第１のアクセス情報を受信する第１のアクセス情報取得手段と、
前記第１のアクセス情報取得手段が取得した前記第１のアクセス情報にもとづいて、前記属性情報提供装置に前記属性情報の送信を要求し、前記要求に応じて送信された前記属性情報を取得する属性情報取得手段とを含む
ことを特徴とする属性情報連携提供システム。
【請求項２】
アクセス情報管理装置の第２のアクセス情報発行手段は、属性情報提供装置が発行した第１のアクセス情報に記載されているユーザ識別子とは異なる識別子を記載した第２のアクセス情報を発行する
請求項１記載の属性情報連携提供システム。
【請求項３】
アクセス情報管理装置は、他のアクセス情報管理装置から受信した第２のアクセス情報を保管するアクセス情報保管手段を含み、
第１のアクセス情報送信手段は、属性情報取得装置からアクセス情報の送信を要求された場合に、属性情報提供装置から取得した第１のアクセス情報、または前記他のアクセス情報管理装置から受信して前記アクセス情報保管手段が保管している前記第２のアクセス情報を前記属性情報取得装置に送信する
請求項１または請求項２記載の属性情報連携提供システム。
【請求項４】
ユーザに関連する情報である属性情報を管理する属性情報提供装置が発行した当該属性情報提供装置にアクセスするための第１のアクセス情報を管理するアクセス情報管理手段と、
自アクセス情報管理装置にアクセスするための情報が記載された第２のアクセス情報を生成し、前記属性情報を使用する属性情報取得装置に前記第２のアクセス情報を送信するアクセス情報代理管理装置に、前記第２のアクセス情報を送信する第２のアクセス情報発行手段と、
前記アクセス情報代理管理装置から前記第２のアクセス情報を取得した前記属性情報取得装置の要求に応じた前記第１のアクセス情報を送信する第１のアクセス情報送信手段とを備えた
ことを特徴とするアクセス情報管理装置。
【請求項５】
属性情報取得装置がアクセス情報の送信を要求する可能性があるアクセス情報代理管理装置の一覧が記載された属性情報取得装置情報を保管する装置情報保管手段と、
ユーザの端末装置から前記ユーザが利用する属性情報取得装置に関する情報を取得し、取得した情報と前記装置情報保管手段に保管されている属性情報取得装置情報とにもとづいて、第２のアクセス情報の送信先のアクセス情報代理管理装置を決定する送信装置決定手段とを含む
請求項４記載のアクセス情報管理装置。
【請求項６】
第２のアクセス情報発行手段は、属性情報提供装置が第１のアクセス情報に記載したユーザ識別子とは異なる識別子を記載した第２のアクセス情報を生成し、
当該アクセス情報管理装置は、一のユーザを識別するために前記第１のアクセス情報に記載されたユーザ識別子と前記第２のアクセス情報発行手段が生成した前記第２のアクセス情報に記載されたユーザ識別子とを関連付けて管理する利用者情報管理手段を含む
請求項４または請求項５記載のアクセス情報管理装置。
【請求項７】
他のアクセス情報管理装置が発行した第２のアクセス情報を取得して管理するアクセス情報代理管理手段と、
属性情報取得装置からアクセス情報の送信を要求された場合に、アクセス情報管理手段または前記アクセス情報代理管理手段から前記要求に応じた第１のアクセス情報または第２のアクセス情報を取得して前記属性情報取得装置に提供するアクセス情報提供手段とを含む
請求項４から請求項６のうちいずれか１項記載のアクセス情報管理装置。
【請求項８】
ユーザに関連する情報である属性情報を使用する属性情報取得装置に前記属性情報を管理する属性情報提供装置にアクセスするための情報を送信するアクセス情報管理装置から受信した当該アクセス情報管理装置にアクセスするためのアクセス情報を管理するアクセス情報代理管理手段と、
前記属性情報取得装置からアクセス情報の送信を要求された場合に、前記要求に応じたアクセス情報を前記アクセス情報代理管理手段から取得するアクセス情報検索手段と、
前記属性情報取得装置に前記アクセス情報検索手段が取得したアクセス情報を送信する送受信手段とを備えた
ことを特徴とするアクセス情報代理管理装置。
【請求項９】
ユーザに関連する情報である属性情報を管理する属性情報提供装置が発行した自属性情報提供装置にアクセスするための第１のアクセス情報を生成し、前記属性情報を使用する属性情報取得装置に前記第１のアクセス情報を送信するアクセス情報管理装置に、前記第１のアクセス情報を送信し、
前記アクセス情報管理装置が発行した自アクセス情報管理装置にアクセスするため第２のアクセス情報を生成し、前記属性情報取得装置に前記第２のアクセス情報を送信するアクセス情報代理管理装置に、前記第２のアクセス情報を送信し、
前記属性情報取得装置の要求に応じた前記第２のアクセス情報を当該属性情報取得装置に送信し、
前記第２のアクセス情報を取得した前記属性情報取得装置の要求に応じた第１のアクセス情報を当該属性情報取得装置に送信し、
前記第１のアクセス情報を取得した前記属性情報取得装置の要求に応じた属性情報を当該属性情報取得装置に送信する
ことを特徴とするアクセス情報管理方法。
【請求項１０】
属性情報取得装置がアクセス情報の送信を要求する可能性があるアクセス情報代理管理装置の一覧が記載された属性情報取得装置情報を管理し、
ユーザの端末装置から前記ユーザが利用する属性情報取得装置に関する情報を取得し、取得した情報と前記属性情報取得装置情報とにもとづいて、第２のアクセス情報の送信先のアクセス情報代理管理装置を決定する
請求項９記載のアクセス情報管理方法。
【手続補正３】
【補正対象書類名】明細書
【補正対象項目名】０００１
【補正方法】変更
【補正の内容】
【０００１】
本発明は、ユーザに関連する情報である属性情報を複数の装置が連携して他の装置に提供する属性情報連携提供システム、アクセス情報管理装置、アクセス情報代理管理装置、およびアクセス情報管理方法に関する。
【手続補正４】
【補正対象書類名】明細書
【補正対象項目名】００２０
【補正方法】変更
【補正の内容】
【００２０】
本発明は、属性情報を管理する装置が効率的にアクセス情報を登録できる属性情報連携提供システム、アクセス情報管理装置、アクセス情報代理管理装置、およびアクセス情報管理方法を提供することを目的とする。また、本発明は、属性情報を取得する装置が効率的にアクセス情報を取得できる属性情報連携提供システム、アクセス情報管理装置、アクセス情報代理管理装置、およびアクセス情報管理方法を提供することも目的とする。さらに、本発明は、利用者のプライバシを保護した安全な属性情報交換を実現できる属性情報連携提供システム、アクセス情報管理装置、アクセス情報代理管理装置、およびアクセス情報管理方法を提供することも目的とする。
【手続補正５】
【補正対象書類名】明細書
【補正対象項目名】００２５
【補正方法】削除
【補正の内容】
【手続補正６】
【補正対象書類名】明細書
【補正対象項目名】００２６
【補正方法】削除
【補正の内容】
【手続補正７】
【補正対象書類名】明細書
【補正対象項目名】００２７
【補正方法】削除
【補正の内容】
【手続補正書】
【提出日】平成24年7月19日(2012.7.19)
【手続補正１】
【補正対象書類名】特許請求の範囲
【補正対象項目名】全文
【補正方法】変更
【補正の内容】
【特許請求の範囲】
【請求項１】
ユーザに関連する情報である属性情報を管理して他の装置に提供する属性情報提供装置と、
前記属性情報を前記属性情報提供装置から取得する他の装置である属性情報取得装置と、
前記属性情報取得装置が前記属性情報提供装置にアクセスするための第１のアクセス情報を管理するアクセス情報管理装置と、
前記属性情報取得装置が前記アクセス情報管理装置にアクセスするための第２のアクセス情報を管理するアクセス情報代理管理装置とを備え、
前記属性情報提供装置は、属性情報を登録するときに、自属性情報提供装置にアクセスするための第１のアクセス情報を発行し、前記アクセス情報管理装置に送信する第１のアクセス情報発行手段を含み、
前記アクセス情報管理装置は、
前記属性情報提供装置から前記第１のアクセス情報を受信すると、自アクセス情報管理装置にアクセスするための第２のアクセス情報を発行し、前記アクセス情報代理管理装置に送信する第２のアクセス情報発行手段と、前記属性情報取得装置の要求に応じて、前記第１のアクセス情報を送信する第１のアクセス情報送信手段とを含み、
前記アクセス情報代理管理装置は、前記アクセス情報管理装置が送信した前記第２のアクセス情報を管理し、前記属性情報取得装置からアクセス情報の送信を要求された場合に、前記第２のアクセス情報を送信する第２のアクセス情報送信手段を含み、
前記属性情報取得装置は、
前記アクセス情報代理管理装置にアクセス情報の送信を要求し、前記要求に応じて送信された前記第２のアクセス情報を受信する第２のアクセス情報取得手段と、
前記第２のアクセス情報取得手段が取得した前記第２のアクセス情報にもとづいて、前記アクセス情報管理装置にアクセス情報の送信を要求し、前記要求に応じて送信された前記第１のアクセス情報を受信する第１のアクセス情報取得手段と、
前記第１のアクセス情報取得手段が取得した前記第１のアクセス情報にもとづいて、前記属性情報提供装置に前記属性情報の送信を要求し、前記要求に応じて送信された前記属性情報を取得する属性情報取得手段とを含む
ことを特徴とする属性情報連携提供システム。
【請求項２】
アクセス情報管理装置の第２のアクセス情報発行手段は、属性情報提供装置が発行した第１のアクセス情報に記載されているユーザ識別子とは異なる識別子を記載した第２のアクセス情報を発行する
請求項１記載の属性情報連携提供システム。
【請求項３】
アクセス情報管理装置は、他のアクセス情報管理装置から受信した第２のアクセス情報を保管するアクセス情報保管手段を含み、
第１のアクセス情報送信手段は、属性情報取得装置からアクセス情報の送信を要求された場合に、属性情報提供装置から取得した第１のアクセス情報、または前記他のアクセス情報管理装置から受信して前記アクセス情報保管手段が保管している前記第２のアクセス情報を前記属性情報取得装置に送信する
請求項１または請求項２記載の属性情報連携提供システム。
【請求項４】
ユーザに関連する情報である属性情報を管理する属性情報提供装置が発行した当該属性情報提供装置にアクセスするための第１のアクセス情報を管理するアクセス情報管理手段と、
自アクセス情報管理装置にアクセスするための情報が記載された第２のアクセス情報を生成し、前記属性情報を使用する属性情報取得装置に前記第２のアクセス情報を送信するアクセス情報代理管理装置に、前記第２のアクセス情報を送信する第２のアクセス情報発行手段と、
前記アクセス情報代理管理装置から前記第２のアクセス情報を取得した前記属性情報取得装置の要求に応じた前記第１のアクセス情報を送信する第１のアクセス情報送信手段とを備えた
ことを特徴とするアクセス情報管理装置。
【請求項５】
属性情報取得装置がアクセス情報の送信を要求する可能性があるアクセス情報代理管理装置の一覧が記載された属性情報取得装置情報を保管する装置情報保管手段と、
ユーザの端末装置から前記ユーザが利用する属性情報取得装置に関する情報を取得し、取得した情報と前記装置情報保管手段に保管されている属性情報取得装置情報とにもとづいて、第２のアクセス情報の送信先のアクセス情報代理管理装置を決定する送信装置決定手段とを含む
請求項４記載のアクセス情報管理装置。
【請求項６】
第２のアクセス情報発行手段は、属性情報提供装置が第１のアクセス情報に記載したユーザ識別子とは異なる識別子を記載した第２のアクセス情報を生成し、
当該アクセス情報管理装置は、一のユーザを識別するために前記第１のアクセス情報に記載されたユーザ識別子と前記第２のアクセス情報発行手段が生成した前記第２のアクセス情報に記載されたユーザ識別子とを関連付けて管理する利用者情報管理手段を含む
請求項４または請求項５記載のアクセス情報管理装置。
【請求項７】
他のアクセス情報管理装置が発行した第２のアクセス情報を取得して管理するアクセス情報代理管理手段と、
属性情報取得装置からアクセス情報の送信を要求された場合に、アクセス情報管理手段または前記アクセス情報代理管理手段から前記要求に応じた第１のアクセス情報または第２のアクセス情報を取得して前記属性情報取得装置に提供するアクセス情報提供手段とを含む
請求項４から請求項６のうちいずれか１項記載のアクセス情報管理装置。
【請求項８】
ユーザに関連する情報である属性情報を使用する属性情報取得装置に前記属性情報を管理する属性情報提供装置にアクセスするための情報を送信するアクセス情報管理装置から受信した当該アクセス情報管理装置にアクセスするためのアクセス情報を管理するアクセス情報代理管理手段と、
前記属性情報取得装置からアクセス情報の送信を要求された場合に、前記要求に応じたアクセス情報を前記アクセス情報代理管理手段から取得するアクセス情報検索手段と、
前記属性情報取得装置に前記アクセス情報検索手段が取得したアクセス情報を送信する送受信手段とを備えた
ことを特徴とするアクセス情報代理管理装置。
【請求項９】
ユーザに関連する情報である属性情報を管理する属性情報提供装置が発行した自属性情報提供装置にアクセスするための第１のアクセス情報を生成し、前記属性情報を使用する属性情報取得装置に前記第１のアクセス情報を送信するアクセス情報管理装置に、前記第１のアクセス情報を送信し、
前記アクセス情報管理装置が発行した自アクセス情報管理装置にアクセスするため第２のアクセス情報を生成し、前記属性情報取得装置に前記第２のアクセス情報を送信するアクセス情報代理管理装置に、前記第２のアクセス情報を送信し、
前記属性情報取得装置の要求に応じた前記第２のアクセス情報を当該属性情報取得装置に送信し、
前記第２のアクセス情報を取得した前記属性情報取得装置の要求に応じた第１のアクセス情報を当該属性情報取得装置に送信し、
前記第１のアクセス情報を取得した前記属性情報取得装置の要求に応じた属性情報を当該属性情報取得装置に送信する
ことを特徴とするアクセス情報管理方法。
【請求項１０】
属性情報取得装置がアクセス情報の送信を要求する可能性があるアクセス情報代理管理装置の一覧が記載された属性情報取得装置情報を管理し、
ユーザの端末装置から前記ユーザが利用する属性情報取得装置に関する情報を取得し、取得した情報と前記属性情報取得装置情報とにもとづいて、第２のアクセス情報の送信先のアクセス情報代理管理装置を決定する
請求項９記載のアクセス情報管理方法。
【請求項１１】
属性情報提供装置が第１のアクセス情報に記載したユーザ識別子とは異なる識別子を記載した第２のアクセス情報を生成し、
一のユーザを識別するために前記第１のアクセス情報に記載されたユーザ識別子と当該一のユーザを識別するために前記第２のアクセス情報に記載されたユーザ識別子とを関連付けて管理する
請求項９または請求項１０記載のアクセス情報管理方法。
【請求項１２】
他のアクセス情報管理装置が発行した第２のアクセス情報を取得して管理し、
属性情報取得装置からアクセス情報の送信を要求された場合に、前記属性情報取得装置に前記要求に応じた第１のアクセス情報または第２のアクセス情報を送信する
請求項９から請求項１１のうちいずれか１項記載のアクセス情報管理方法。
【請求項１３】
ユーザに関連する情報である属性情報を使用する属性情報取得装置に、前記属性情報を管理する属性情報提供装置にアクセスするための情報を送信するアクセス情報管理装置から取得したアクセス情報を保管し、
前記属性情報取得装置からアクセス情報の送信を要求された場合に、保管しているアクセス情報のうち、前記要求に応じたアクセス情報を前記属性情報取得装置に送信する
ことを特徴とするアクセス情報代理管理方法。
【請求項１４】
コンピュータに、
ユーザに関連する情報である属性情報を管理する属性情報提供装置が発行した当該属性情報提供装置にアクセスするための第１のアクセス情報を管理するアクセス情報管理処理と、
属性情報提供装置にアクセスするための情報を送信する自アクセス情報管理装置にアクセスするための情報が記載された第２のアクセス情報を生成し、前記属性情報を使用する前記属性情報取得装置に前記第２のアクセス情報を送信するアクセス情報代理管理装置に、前記第２のアクセス情報を送信する第２のアクセス情報発行処理と、
前記第２のアクセス情報を取得した属性情報取得装置からアクセス情報の送信を要求された場合に、前記要求に応じた第１のアクセス情報を前記属性情報取得装置に送信する第１のアクセス情報送信処理とを実行させる
ためのアクセス情報管理プログラム。
【請求項１５】
コンピュータに、
属性情報取得装置がアクセス情報の送信を要求する可能性があるアクセス情報代理管理装置の一覧が記載された属性情報取得装置情報を保管する処理と、
ユーザの端末装置から前記ユーザが利用する属性情報取得装置に関する情報を取得し、取得した情報と前記属性情報取得装置情報とにもとづいて、第２のアクセス情報を送信するアクセス情報代理管理装置を決定する送信装置決定処理とを実行させる
ための請求項１４記載のアクセス情報管理プログラム。
【請求項１６】
コンピュータに、
属性情報提供装置が第１のアクセス情報に記載したユーザ識別子とは異なる識別子を記載した第２のアクセス情報を生成するアクセス情報生成処理と、
一のユーザを識別するために前記第１のアクセス情報に記載されたユーザ識別子と当該一のユーザを識別するために前記第２のアクセス情報に記載されたユーザ識別子とを関連付けて管理する利用者情報管理処理とを実行させる
ための請求項１４または請求項１５記載のアクセス情報管理プログラム。
【請求項１７】
コンピュータに、
他のアクセス情報管理装置が発行した第２のアクセス情報を取得して管理するアクセス情報代理管理処理と、
属性情報取得装置からアクセス情報の送信を要求された場合に、前記要求に応じた第１のアクセス情報または第２のアクセス情報を前記属性情報取得装置に提供するアクセス情報提供処理とを実行させる
ための請求項１４から請求項１６のうちいずれか１項記載のアクセス情報管理プログラム。
【請求項１８】
コンピュータに、
ユーザに関連する情報である属性情報を使用する属性情報取得装置に前記属性情報を管理する属性情報提供装置にアクセスするための情報を送信するアクセス情報管理装置から取得したアクセス情報を保管するアクセス情報代理管理処理と、
前記属性情報取得装置からアクセス情報の送信を要求された場合に、保管しているアクセス情報のうち、前記要求に応じたアクセス情報を取得するアクセス情報検索処理と、
前記アクセス情報検索処理で取得したアクセス情報を前記属性情報取得装置に送信する処理とを実行させる
ためのアクセス情報代理管理プログラム。
【手続補正３】
【補正対象書類名】明細書
【補正対象項目名】０００１
【補正方法】変更
【補正の内容】
【０００１】
本発明は、ユーザに関連する情報である属性情報を複数の装置が連携して他の装置に提供する属性情報連携提供システム、アクセス情報管理装置、アクセス情報代理管理装置、方法、およびプログラムに関する。
【手続補正４】
【補正対象書類名】明細書
【補正対象項目名】００２０
【補正方法】変更
【補正の内容】
【００２０】
本発明は、属性情報を管理する装置が効率的にアクセス情報を登録できる属性情報連携提供システム、アクセス情報管理装置、アクセス情報代理管理装置、方法、およびプログラムを提供することを目的とする。また、本発明は、属性情報を取得する装置が効率的にアクセス情報を取得できる属性情報連携提供システム、アクセス情報管理装置、アクセス情報代理管理装置、方法、およびプログラムを提供することも目的とする。さらに、本発明は、利用者のプライバシを保護した安全な属性情報交換を実現できる属性情報連携提供システム、アクセス情報管理装置、アクセス情報代理管理装置、方法、およびプログラムを提供することも目的とする。
【手続補正５】
【補正対象書類名】明細書
【補正対象項目名】００２５
【補正方法】変更
【補正の内容】
【００２５】
本発明によるアクセス情報代理管理方法は、ユーザに関連する情報である属性情報を使用する属性情報取得装置に、属性情報を管理する属性情報提供装置にアクセスするための情報を送信するアクセス情報管理装置から取得したアクセス情報を保管し、属性情報取得装置からアクセス情報の送信を要求された場合に、保管しているアクセス情報のうち、要求に応じたアクセス情報を属性情報取得装置に送信することを特徴とする。
【手続補正６】
【補正対象書類名】明細書
【補正対象項目名】００２６
【補正方法】変更
【補正の内容】
【００２６】
本発明によるアクセス情報管理プログラムは、コンピュータに、ユーザに関連する情報である属性情報を管理する属性情報提供装置が発行した当該属性情報提供装置にアクセスするための第１のアクセス情報を管理するアクセス情報管理処理と、属性情報提供装置にアクセスするための情報を送信する自アクセス情報管理装置にアクセスするための情報が記載された第２のアクセス情報を生成し、属性情報を使用する属性情報取得装置に第２のアクセス情報を送信するアクセス情報代理管理装置に、第２のアクセス情報を送信する第２のアクセス情報発行処理と、第２のアクセス情報を取得した属性情報取得装置からアクセス情報の送信を要求された場合に、要求に応じた第１のアクセス情報を属性情報取得装置に送信する第１のアクセス情報送信処理とを実行させることを特徴とする。
【手続補正７】
【補正対象書類名】明細書
【補正対象項目名】００２７
【補正方法】変更
【補正の内容】
【００２７】
本発明によるアクセス情報代理管理プログラムは、コンピュータに、ユーザに関連する情報である属性情報を使用する属性情報取得装置に属性情報を管理する属性情報提供装置にアクセスするための情報を送信するアクセス情報管理装置から取得したアクセス情報を保管するアクセス情報代理管理処理と、属性情報取得装置からアクセス情報の送信を要求された場合に、保管しているアクセス情報のうち、要求に応じたアクセス情報を取得するアクセス情報検索処理と、アクセス情報検索処理で取得したアクセス情報を属性情報取得装置に送信する処理とを実行させることを特徴とする。
【国際調査報告】
2011070726.tif 000024
2011070726.tif 000025
2011070726.tif 000026
2011070726.tif 000027